Podtech/llm-jp-corpus-v4-ja_patent huggingface dataset:
(57)【要約】      （修正有）【課題】栽培施設内における栽培後期に増加するカビの胞子等の浮遊菌の増加を抑えて栽培環境を改善する。【解決手段】貯水タンク２に貯められた電解水製造装置１で製造された電解水が、送液ポンプ３によって送液管４を介して噴霧ノズル５に送られ、該噴霧ノズル５からハウス内に霧状に噴霧される施設栽培において、トマト等の植物の栽培期間中に、ｐＨ４．０〜６．５の次亜塩素酸水溶液を飽差管理で噴霧することを特徴とする植物の栽培方法。【選択図】図１
2018164431.tif 000002
【特許請求の範囲】
【請求項１】
施設栽培において植物の栽培期間中に、ｐＨ４．０〜６．５の次亜塩素酸水溶液を飽差管理で噴霧することを特徴とする植物の栽培方法。
【発明の詳細な説明】
【技術分野】
【０００１】
本発明は植物の栽培方法に関する。
【発明の概要】
【発明が解決しようとする課題】
【０００２】
トマト等の栽培施設では栽培後期に増加する枯葉に生じるカビにより、ハウス内に胞子等の浮遊菌が増加し、栽培環境が悪化するという問題が生じている。
【課題を解決するための手段】
【０００３】
本発明の植物の栽培方法は、施設栽培において植物の栽培期間中に、ｐＨ４．０〜６．５の次亜塩素酸水溶液を飽差管理で噴霧することを特徴とする。
【発明の効果】
【０００４】
本発明によれば、散布作業等の特段の手間を要することなく栽培環境を改善できる。
【図面の簡単な説明】
【０００５】
【図１】本発明の植物の栽培方法の一実施形態を模式的に示す概略構成図である。
【発明を実施するための形態】
【０００６】
飽差管理とは空間内空気の飽和水蒸気圧と水蒸気圧との差が一定に保たれるように管理することである。栽培施設に公知の飽差制御装置を設けて行うことができる。
本発明において、トマト等の植物の栽培期間中に噴霧される次亜塩素酸水溶液のｐＨは４．０〜６．５である（以下、微酸性次亜塩素酸水溶液ともいう）。
微酸性次亜塩素酸水溶液の有効塩素濃度は１０〜４０ｐｐｍ（質量基準）が好ましい。該有効塩素濃度は、「日本食品添加物協会発行、「第８版  食品添加物公定書  厚生労働省復刻版」第３７５ページ第１０〜１３行、２００７年８月３１日」に記載されている方法によって測定することができる。
微酸性次亜塩素酸水溶液として、塩酸（塩化水素水）を電気分解して生成する電解水を用いることが好ましい。微酸性次亜塩素酸水溶液として使用できる電解水は、市販の電解水製造装置を用いて製造できる。
【０００７】
図１は、本発明のトマト等の植物の栽培方法に好適に用いられる栽培システムの一実施形態である。
本実施形態の栽培システムは、電解水製造装置１、栽培施設（以下、ハウスともいう。）内の天井部に設けられた噴霧ノズル５と、電解水を噴霧ノズル５に供給する送液管４を備えている。本実施形態では、電解水製造装置１で製造された電解水が、貯水タンク２に貯められ、送液ポンプ３によって送液管４に送られ、噴霧ノズル５からハウス内に霧状に噴霧されるようになっている。
また図示していないが、送液管４に送られる電解水を水道水に切り替えることができるように構成されている。すなわち、必要に応じて、噴霧ノズル５からハウス内に水を噴霧できるようになっている。
【実施例】
【０００８】
＜実施例１＞
本例では、微酸性次亜塩素酸水溶液の噴霧による効果を確認するために、図１に示す構成を有するトマト栽培ハウス内で、栽培中のトマトに微酸性電解水を噴霧した。
電解水製造装置１としては、トーワテクノ社製、製品名：ピュアスターＭｐ−２４０を用い、微酸性電解水（有効塩素濃度２０ｐｐｍ、ｐＨ５．５）を生成した。
ハウス内の飽差管理（管理値：７ｇ／ｍ３）を行い、必要に応じて、電解水または水道水を噴霧した。
トマト苗定植後、最初の６ヵ月間は水道水を噴霧し、７か月目から収穫時期である９ヵ月目まで微酸性電解水に切り替えて噴霧した。
本例におけるトマトの収穫時期は、おおよそ苗定植後３ヵ月目から９ヵ月目であった。
【０００９】
（１）浮遊菌数の測定
予め、ハウス内の任意の５箇所を測定点として設定し、定期的に各測定点で空気８０Ｌをサンプリングして浮遊菌数を測定した。空気のサンプリングおよび浮遊菌数の測定はＲＣＳエアーサンプラー（メルク株式会社製）を用いて行った。測定値の単位はＬｏｇＣＦＵ／８０Ｌである。５箇所の測定値の平均を表１に示す。
（２）葉の付着菌数の測定
予め、ハウス内の任意の６箇所を測定点として設定し、定期的に各測定点で葉を５枚採取し、ストマッカー法により付着菌数を測定した。測定値の単位はＬｏｇＣＦＵ／ｇである。６箇所の測定値の平均を表１に示す。
【００１０】
【表１】
2018164431.tif 000003
【００１１】
表１の結果に示されるように、浮遊菌数および葉の付着菌数ともに、３ヵ月目から６ヵ月目までは経時的に増加傾向にあるが、微酸性電解水に切り替えた７ヵ月目以降は減少し、収穫後期である９ヵ月目には、収穫開始時期（３ヵ月目）の菌数レベルにまで低下した。また、微酸性次亜塩素酸水溶液の噴霧によって付着菌数だけでなく、浮遊菌数も低減されることがわかった。
【００１２】
＜実施例２・比較例１＞
本例では、微酸性次亜塩素酸水溶液の噴霧による効果を確認するために、図１に示す構成を有するトマト栽培ハウスの２棟を隣接して設け、一方は実施例２、他方は微酸性次亜塩素酸水溶液の噴霧を行わない比較例１とした。
実施例２では、トマト苗定植後３ヵ月目から飽差管理（管理値：７ｇ／ｍ３）を行い、実施例１と同じ微酸性電解水を噴霧した。
比較例１では、飽差管理を行なわず、微酸性電解水の噴霧は行わなかった。
トマト苗定植後７ヵ月目に、両ハウスについて、実施例１と同様にして浮遊菌数および葉の付着菌数の測定を行った。ただし、浮遊菌数の測定点は３ヵ所、付着菌数の測定点は４ヵ所とした。測定値の平均を表２に示す。
【００１３】
【表２】
2018164431.tif 000004
【００１４】
表２の結果に示されるように、実施例２の浮遊菌数および付着菌数は、それぞれ比較例１に比べて１桁以上少なかった。
【符号の説明】
【００１５】
１  電解水製造装置
２  貯水タンク
３  送液ポンプ
４  送液管
５  噴霧ノズル
【図１】
2018164431.tif 000005
(57)【要約】【課題】通常ホットカーラーは専用の電源装置を用いて加熱するものであった。しかし近年水分を加熱するのに適した電子レンジを利用して、ホットカーラーを加熱するものが出てきた。しかしそれらは加熱温度が安定しないとか、タイマーの設定を誤ると密閉された袋が破裂するといった心配があった。【解決手段】ホットカーラーの発熱体として磁性材料を選択した。さらにその到達温度を設定したフェライトを用いて、電子レンジの時間の設定が間違っても危険な高温にならないようにした。【選択図】  図１
2018164493.tif 000002
【特許請求の範囲】
【請求項１】
電子レンジを利用して加熱するホットカーラーに於いて、その発熱体は、磁性材料又は磁性材料を主原料とするものであることを特徴とするホットカーラー。
【請求項２】
上記磁性材料は、必要な温度以上に加熱されないように設定したフェライトであることを特徴とする請求項１のホットカーラー
【発明の詳細な説明】
【技術分野】
【０００１】
ホットカーラーに関するもので、特に電子レンジで加熱を行う。
【背景技術】
【０００２】
通常ホットカーラーは専用の電源を用いて、電気抵抗による発熱体を加熱し、その放熱を利用するものであった。しかし近年水分を加熱するのに適した電子レンジを利用して、ホットカーラーを加熱しようとするものも出てきた。
【０００３】
しかしスポンジに水を吸収させて加熱するカーラーはその水の吸収量が不安定なので加熱温度が安定せず、一定の袋に定量のジェル状発熱体を封入したホットカーラーは温度が高くなって１００℃を超える場合には密閉された袋が破裂する恐れもあった。
【先行技術文献】
【特許文献】
【０００４】
【特許文献１】特開平９−７５１２５号
【特許文献２】特開２０１０−４２０９４
【発明の概要】
【発明が解決しようとする課題】
【０００５】
電子レンジを使いながら、安全に加熱出来るホットカーラーが欲しかった。
【課題を解決するための手段】
【０００６】
電子レンジの加熱で発熱するホットカーラーの発熱体として磁性材料を選択した。さらに設計された温度以上に加熱されないフェライトを用いた。
【発明の効果】
【０００７】
加熱時間は１５〜２０秒で、さらに電子レンジのタイマーの設定を誤っても、危険な高温にならないホットカーラーになった。
【図面の簡単な説明】
【０００８】
【図１】本発明の一例のホットカーラーの断面図である。
【図２】別のホットカーラーの一例の断面図である。
【図３】別のホットカーラーの一例の断面図である。
【図４】別のホットカーラーの一例の断面図である。
【発明を実施するための最良の形態】
【０００９】
実施例１では本発明の一例で従来と同様の形状のホットカーラーを図１と図２で説明し、実施例２では本発明の特質を生かした、形状の違う他の例を図３で説明する。
【実施例１】
【００１０】
図１は本発明のホットカーラー１の一例の断面図であるが、カーラー本体１は一端に底部を持った円筒形をしているが、その内部の空洞２の壁面に、粉末のフェライトを粘性のあるシリコン樹脂と、重量比で３対１に混合した発熱体３を１ｍｍ程度の厚さに塗布し、フタ４をしたものである。蓄熱量を多くしたければ発熱体２を多く、と言うことはフェライトを多くすればよい。
【００１１】
このカーラー１を電子レンジに入れ、６００Ｗから１０００Ｗでタイマーにより２０〜３０秒加熱する。それにより発熱体２の温度は１５０℃〜２００℃に達し、徐々にその熱は本体１の内部から表面に伝熱していく。従ってそのカーラー１を電子レンジから取り出し、髪に巻き、時間を置けば、カールが付く。この加熱後の使い方は普通の電気加熱のカーラーと変わらない。
【００１２】
この発熱体２のフェライトは、ＵＦＪケミカル（株）のマイクロ波吸収発熱体用ＭｇＣｕ系フェライトを用いた。これは加熱し続けても昇温が２５０℃前後で停止する。従って使用者が電子レンジのタイマー設定を誤ってもそれ以上の高温にならないので安心であるし、さらに発熱体２、従ってカーラー１の寿命も長くなる。
【００１３】
勿論一般的な磁性材料、ニッケル亜鉛系、マグネシウ亜鉛系等のフェライトも使用出来る。キューリー点の高いフェライトは昇温速度も速い。これらは自動的に昇温停止しないので、タイマーを用いて電子レンジの加熱を停止すれば良い。フェライトはシリコン樹脂で混合し塗布するだけでなく、図２のように内部の空洞２にフェライトの粉末５を充填することも出来る。その場合内部の熱伝導を良くするために炭素繊維やグラファイト等を混ぜても良い。またゴム状のシートに形成したり、単独又は他の助燃材と焼き固めて固体にして、それらを内部の空洞２に接着してもよい。
【実施例２】
【００１４】
本発明のカーラーは、内部の加熱装置やそこへの電気接続部を設けなくてもよいので、構造が非常に簡単になる。例えば図３のように２０ｃｍといった長いカーラー１や、図４のように本体６を柔軟なシリコン素材で作ることが出来る。図４のカーラーは曲げやすいので付けたまま寝ることも出来るし、アクセサリーのようにして付けたまま外出もできる。何れもそれらの断面図で分かるように、内部に発熱体３を収納すれば良く、本体の材質に練り込んでも良い。
【００１５】
カーラーとして最適な熱の放出が出来るように、本体１の材質を変えることも出来る。従来のようにＰＰとかＰＣ単独でもよいが、カーボンや窒化アルミ粉末を加えて熱伝導率を上げたり、セラミック粉末を加えて遠赤外線を多く出したり、逆に熱伝導率の低いセラミックや気泡を入れてゆっくり放熱して髪を傷めない、といった加工も出来る。
【００１６】
図面には無いが、内部の空洞を利用して取り外し可能な取っ手を付けて、柄の付いた電気鏝のようにして、髪の毛を巻きやすくすることも出来る。巻いたら柄を外せばよい。
【産業上の利用可能性】
【００１７】
電子レンジはどこの家庭にも有るし、朝通勤や通学をする家庭ではキッチンで朝食の準備をしながら身支度も整えられるので、非常に便利である。
【００１８】
通常のホットカーラーは加熱装置が５０Ｗ程度なので３〜５分掛るが、電子レンジでは６００Ｗ，１０００Ｗといった加熱が利用出来るので、１５〜２０秒程度で使用可能になる。
【００１９】
加熱装置やコードが無いので収納場所も取らないし、出し入れも便利である。
【００２０】
使用者が電子レンジのタイマーを間違えても、発熱体の選定によりカーラーが不必要な高温にはならないので、非常に安全である。
【００２１】
電源回路やコードが無く、部品が少ないということは、故障も少なく半永久的に使用でき、しかも製作も楽なので安価に供給できる。
【００２２】
内部に発熱体を収納しさえすればよいので、自由な形状が取れる。
【符号の説明】
【００２３】
１    カーラー本体
２    内部の空洞
３    フェライトとシリコン樹脂の発熱体
４    フタ
５    フェライトのみの発熱体
６    柔らかいカーラー本体
【図１】
2018164493.tif 000003
【図２】
2018164493.tif 000004
【図３】
2018164493.tif 000005
【図４】
2018164493.tif 000006
(57)【要約】      （修正有）【課題】音を楽しみながら技を競うけん玉の提供。【解決手段】けん１０とけんに糸でつないだ玉２０とを備え、けんは玉を乗せるカップ１４、１６を有し、カップは玉がカップ開口部に乗ると音が鳴らなくなるが、カップが玉を弾くように当たると音が鳴るものである。【選択図】図１
2018143549.tif 000002
【特許請求の範囲】
【請求項１】
けんと当該けんに糸でつないだ玉とを備え、
前記けんは前記玉を乗せるカップを有し、
前記カップは前記玉が当たると音が鳴るものであることを特徴とするけん玉。
【請求項２】
前記カップは内側に前記玉を乗せる皿を有していることを特徴とする請求項１記載のけん玉。
【発明の詳細な説明】
【技術分野】
【０００１】
本発明はけん玉に関し、特に玉が当たることで音が鳴るけん玉に係る。
【背景技術】
【０００２】
けん玉は略十字形状のけんと、このけんの根元に穴の空いた玉をつないだ玩具の１つである。
従来の一般的なけん玉は、玉の穴に挿入できるけん先と、その反対側にグリップを有し、けん先とグリップとの間に一対の小皿と大皿とを有し、グリップの端部に中皿を有する構造となっている。
けん玉は皿に玉を乗せる技と、玉の穴をけん先にさす技を楽しむものであるが、音を楽しむものではなかった。
【０００３】
特許文献１には鈴を付けたけん玉を開示するが、この鈴はけんを振る際に鈴が鳴るものであって、玉がカップに当たることで、このカップの音が鳴るものではなく、単調な鈴音が鳴るだけのものであった
【先行技術文献】
【特許文献】
【０００４】
【特許文献１】実開昭５１−８２９８号公報
【発明の概要】
【発明が解決しようとする課題】
【０００５】
本発明は、音を楽しみながら技を競うけん玉の提供を目的とする。
【課題を解決するための手段】
【０００６】
本発明に係るけん玉は、けんと当該けんに糸でつないだ玉とを備え、前記けんは前記玉を乗せるカップを有し、前記カップは前記玉が当たると音が鳴るものであることを特徴とする。
本発明において特徴的なのは、玉がカップに納まらなかった場合には音が鳴るようにした点である。
例えば、カップをおわん型のおりん形状にすると玉の大きさがカップの開口部よりも大きく、玉がこの開口部に乗るように納まると、おりんの振動が抑えられ音が鳴らなくなるが、上手く玉が開口部に乗らずにカップに弾かれると打りんしたように共鳴音が鳴る。
【０００７】
本発明において、前記カップは内側に前記玉を乗せる皿を有するようにしてもよい。
このようにすると、玉が皿に直接上手く乗った場合には音が鳴らないが、カップの淵に玉が当たった後に皿に乗ったような場合にはカップの音がすることになり、さらにレベルの高い技を競うことができる。
【発明の効果】
【０００８】
本発明に係るけん玉は、玉がカップの縁や側壁に当たると音（共鳴音）が鳴り、玉を乗せる技とともに音を楽しむことができる。
【図面の簡単な説明】
【０００９】
【図１】本発明に係るけん玉の実施例１を示す。
【図２】本発明に係るけん玉の実施例２を示す。
【図３】本発明に係るけん玉の実施例３を示す。
【図４】本発明に係るけん玉の実施例４を示す。
【発明を実施するための形態】
【００１０】
本発明に係るけん玉の構造例を以下、図に基づいて説明するが、本発明はこれに限定されない。
【００１１】
実施例１のけん玉を図１に示す。
けん玉は、けん１０の根元１３と、穴２１を有する玉２０とを糸２２にてつないである。
けん１０は、玉２０の穴２１に差し込むことができるけん先１２と、グリップ１１とを有する。
けん先１２とグリップ１１との間に、小カップ１４と大カップ１６を対向して取り付けてあり、この付根部を根元１３と表現した。
グリップ１１の端部には前記小カップ１４と大カップ１６との間の中間の大きさからなる中カップ１５を取り付けてある。
小カップ１４及び大カップ１６は、根元１３側に取付部材１４ｂ，１６ｂを介して着脱自在に取り付けてある。
グリップ１１側の中カップ１５も着脱自在になっている。
小カップ１４の開口部（円形状）１４ａ，中カップ１５の開口部（円形状）１５ａ，大カップ１６の開口部（円形状）１６ａの順に大きくなっている。
カップは玉が当たるとおりんのように共鳴音が鳴るようになっていて、金属製がよい。
金属としては黄銅合金，スチール，アルミ，スズ等が例として挙げられる。
けん先１２やグリップ１１等のけん本体は金属製、木製、樹脂製等、材質に制限はない。
玉２０も金属製、木製、樹脂製等制限がない。
玉２０は、大カップ１６の開口部１６ａよりも大きく、図１（ｂ）に示すように大カップ１６の開口部１６ａに上手く乗ると、カップの共振が抑えられ音が止まる。
これによりカップの鳴る音の有無により玉がカップに納まったか否かが分かる。
【００１２】
図２は実施例２を示す。
小カップ１４，中カップ１５及び大カップ１６の内側に、けん玉が乗る皿部１１４，１１５，１１６をそれぞれ取付支柱１１４ａ，１１５ａ，１１６ａを介して取り付けた例になっている。
実施例２では各皿に直接玉２０が乗った場合には音が鳴らないが、玉２０がカップに当たった後に皿に乗った場合には、玉による音が鳴り響くことになる。
【００１３】
図３は実施例３を示す。
本実施例は小カップ１４Ａと大カップ１６Ａの形状を奥行きのある深い形状にし、打音が長く鳴り響くようにした例である。
【００１４】
図４に実施例を示す。
実施例２に比較して皿の位置をカップの内部に設けることで、カップが鳴らないように玉を皿に乗せるを難しくした例である。
【００１５】
上記の実施例はいずれも従来のけん玉に合せて、けん先と３つのカップを設けた例になっているが、本発明はカップの位置や数及び形状等に制限はなく、自由にアレンジできる。
【符号の説明】
【００１６】
１０      けん
１１      グリップ
１２      けん先
１３      根元
１４      小カップ
１５      中カップ
１６      大カップ
２０      玉
２１      穴
２２      糸
【図１】
2018143549.tif 000003
【図２】
2018143549.tif 000004
【図３】
2018143549.tif 000005
【図４】
2018143549.tif 000006